(57)【要約】【課題】振動装置から生じる振動刺激を効果的に伝搬させることができ、覚醒効果を高めることが可能な椅子を提供する。【解決手段】脚付き椅子は、バックパンＦ２２と、着座者の身体信号を検出する呼吸センサと着座者に振動刺激を加える振動装置３５と振動装置３５を制御する制御装置Ｕ１とを有して着座者を覚醒させる覚醒装置と、を備える。振動装置３５は、バックパンＦ２２に設けられた金属製の取付部材３７に取り付けられている。【選択図】図５
2020000878.tif 000002
【特許請求の範囲】
【請求項１】
背もたれと、
着座者の身体信号を検出するセンサと前記着座者に振動刺激を加える振動装置と該振動装置を制御する制御装置とを有して前記着座者を覚醒させる覚醒装置と、を備える椅子であって、
前記振動装置は、前記背もたれに設けられた金属部に取り付けられていることを特徴とする椅子。
【請求項２】
前記背もたれは、前記金属部に接触するバックフレームを備え、
該バックフレームには、前記背もたれに広く振動を拡散する振動拡散部が設けられていることを特徴とする請求項１に記載の椅子。
【請求項３】
前記振動拡散部は、周辺よりも突出して形成されたリブであることを特徴とする請求項２に記載の椅子。
【請求項４】
前記背もたれは、前記金属部を有する背もたれ本体を備え、
前記振動装置の少なくとも一部は、前記背もたれ本体の背面の上端部と下端部とを結んだ線よりも前側に配置されていることを特徴とする請求項１乃至３のいずれか一項に記載の椅子。
【請求項５】
前記背もたれには、複数の線状の金属フレームが設けられており、
前記振動装置は、前記複数の線状の金属フレームの間に配置されていることを特徴とする請求項１乃至４のいずれか一項に記載の椅子。
【請求項６】
前記振動装置は、一方に長尺に形成されており、長尺方向が上下方向となるように前記背もたれに取り付けられていることを特徴とする請求項１乃至５のいずれか一項に記載の椅子。
【請求項７】
前記椅子の座部と、
該座部と前記背もたれを接続する接続部材と、を備え、
前記振動装置と前記制御装置とは、ハーネスで接続されており、
該ハーネスは、前記接続部材内を通り、通常の状態において撓んだ状態で配設されていることを特徴とする請求項１乃至６のいずれか一項に記載の椅子。
【請求項８】
前記振動装置は、前記背もたれの下部に設けられていることを特徴とする請求項１乃至７のいずれか一項に記載の椅子。
【請求項９】
前記背もたれは、前記金属部を有する背もたれ本体と、該背もたれ本体に取り付けられるカバーとを備え、
前記振動装置は、前記カバーで覆われていることを特徴とする請求項１乃至８のいずれか一項に記載の椅子。
【請求項１０】
前記背もたれ本体又は前記カバーにおける前記振動装置の周囲には、空間を物理的に遮る遮蔽板が設けられていることを特徴とする請求項９に記載の椅子。
【請求項１１】
前記背もたれ本体又は前記カバーは、周辺よりも突出する複数の突出部を備え、
前記振動装置は、前記複数の突出部を避けた位置に設けられていることを特徴とする請求項９又は１０に記載の椅子。
【請求項１２】
前記背もたれ本体は、バックフレームと、該バックフレームの表面側に設けられるパッド部と、該パッド部を表面側から覆う表皮と、を備え、
前記振動装置を覆う前記カバーは、前記表皮の端末を挟みこむように前記バックフレームに取り付けられ、前記振動装置に接触していることを特徴とする請求項９乃至１１のいずれか一項に記載の椅子。
【請求項１３】
前記背もたれ本体は、前記金属部の他に前記背もたれ本体の全体に亘って形成された樹脂部を備え、
前記振動装置は、前記金属部及び前記樹脂部に接触していることを特徴とする請求項９乃至１２のいずれか一項に記載の椅子。
【請求項１４】
前記制御装置及び前記振動装置に電力を供給するバッテリを備え、
前記制御装置及び前記バッテリは、前記振動装置の上方に設けられていることを特徴とする請求項１乃至１３のいずれか一項に記載の椅子。
【請求項１５】
前記制御装置及び前記振動装置に電力を供給するバッテリを備え、
前記制御装置及び前記バッテリは、前記振動装置の左右に振り分けられて設けられていることを特徴とする請求項１乃至１４のいずれか一項に記載の椅子。
【請求項１６】
前記振動装置、前記制御装置及び前記バッテリの少なくともいずれか一つは、前記背もたれの背面の凹部に配置されていることを特徴とする請求項１４又は１５に記載の椅子。
【請求項１７】
前記振動装置、前記制御装置及び前記バッテリは、保持部材に取り付けられてユニット化されていることを特徴とする請求項１４乃至１６のいずれか一項に記載の椅子。
【発明の詳細な説明】
【技術分野】
【０００１】
本発明は、椅子に係り、特に、椅子の着座者に刺激を付与する覚醒機器を備える椅子に関するものである。
【背景技術】
【０００２】
車両運転時の事故の発生を未然に防ぐことを目的として、車両の運転者の覚醒度低下を防止する技術が知られている。
例えば、特許文献１には、心拍センサ又は呼吸センサ及びモータ等の電気機器を備える車両用シート用いて、振動刺激を着座者に付与する技術が開示されている。
一方、覚醒度の低下を防止するため、換言すると居眠りを防止するために振動刺激を付与する技術は、車両用シートの他、勉強や仕事を効率的に行う目的や、特定の人を呼び出す目的のために脚付き椅子等に用いられ得る。
【０００３】
例えば、劇場内や、会議室内にいる特定の人を呼び出す際に用いられる脚付き椅子として、特許文献２には、椅子の座部の内部にモータを有する振動装置（同文献には、振動子と記載。）を備える脚付き椅子が開示されている。
より詳細には、振動装置の下部が圧縮ばねを介して支持され、振動装置の上部が座部の表皮（同文献には、表皮カバーと記載）に触れるように配設されており、表皮を介して着座者に振動刺激を付与する構成が開示されている。
【先行技術文献】
【特許文献】
【０００４】
【特許文献１】特開２０１３−２２０８１０号公報
【特許文献２】特開平７−３２２９３８号公報
【発明の概要】
【発明が解決しようとする課題】
【０００５】
上記特許文献２に記載の脚付き椅子においては、振動装置が合成繊維等から成る表皮に接するように設けられているために、振動装置から生じた振動の伝達効率が低く、高い覚醒効果を発揮することは難しかった。
【０００６】
さらに、振動が伝搬する範囲は、振動装置に接する表皮の近傍に限られ、覚醒効果をより高めるために広範な範囲に振動を伝搬させるには、大きな振動装置を座部に取り付ける必要があり、コストがかかっていた。
また、振動刺激を大きくするために振動振幅を大きくした場合には、着座者が居眠り状態であることを周囲の人に振動音によって知られることによって、不都合が生じることも考えられる。
【０００７】
また、振動装置を椅子に取り付ける場合に、振動装置の体積分、椅子の厚みが大きくなることが考えられる。
この場合、椅子に凹部を形成して、この凹部に振動装置を収容するようにした場合には、その凹部によって、椅子の厚みを抑えることができるが、剛性を維持することが困難となることがあった。
【０００８】
本発明は、かかる問題点に鑑みてなされたものであり、本発明の目的は、振動刺激を効果的に着座者に付与して覚醒効果を高めることにある。
他の目的は、背もたれを広範な範囲で振動させることにある。
他の目的は、周囲の人に居眠り状態であることを知られないようにすることにある。
さらに他の目的は、椅子の厚みの増加を防止しつつ、剛性を維持することにある。
【課題を解決するための手段】
【０００９】
前記課題は、本発明に係る椅子によれば、背もたれと、着座者の身体信号を検出するセンサと前記着座者に振動刺激を加える振動装置と該振動装置を制御する制御装置とを有して前記着座者を覚醒させる覚醒装置と、を備える椅子であって、前記振動装置は、前記背もたれに設けられた金属部に取り付けられていることにより解決される。
【００１０】
上記構成によれば、振動装置が金属部に取り付けられていることで、樹脂材料から成るものに取り付けられている場合と比較して、振動装置から生じる振動刺激を着座者に金属部を介して効果的に伝搬させることができ、覚醒効果を高めることができる。
【００１１】
前記背もたれは、前記金属部に接触するバックフレームを備え、前記背もたれに広く振動を拡散する振動拡散部が設けられていると好ましい。
上記構成によれば、振動拡散部が設けられていることで、振動装置から金属部に伝わった振動刺激を背もたれに効果的に広く拡散することができ、覚醒効果を高めることができる。
【００１２】
また、前記振動拡散部は、周辺よりも突出して形成されたリブであると好ましい。
上記構成によれば、振動拡散部がリブ状であることで、取付工数のかかる別部材を用いずに、振動刺激を拡散することができる。
【００１３】
また、前記背もたれは、前記金属部を有する背もたれ本体を備え、前記振動装置の少なくとも一部は、前記背もたれ本体の背面の上端部と下端部とを結んだ線よりも前側に配置されていると好ましい。
上記構成によれば、振動装置の少なくも一部が、背もたれ本体の背面の上端部と下端部とを結んだ線よりも前側に配置されていることで、この線よりも後ろ側に配置されている場合と比較して、振動刺激を着座者に効果的に伝搬させることが可能となる。
【００１４】
また、前記背もたれには、複数の線状の金属フレームが設けられており、前記振動装置は、前記複数の線状の金属フレームの間に配置されていると好ましい。
上記構成によれば、振動装置を複数の金属フレームの間に配置することで、振動装置を金属フレームによって保護することができる。
【００１５】
また、前記振動装置は、一方に長尺に形成されており、長尺方向が上下方向となるように前記背もたれに取り付けられていてもよい。
着座者の背もたれとの接触範囲は上下方向に広い。上記構成によれば、この接触範囲に沿うように長尺方向が上下方向となるように振動装置が取り付けられていることにより、背もたれの上下に広い範囲で振動を伝搬させることができるため、着座者の覚醒効果を向上させることができる。
【００１６】
前記椅子の座部と、該座部と前記背もたれを接続する接続部材と、を備え、前記振動装置と前記制御装置とは、ハーネスで接続されており、該ハーネスは、前記接続部材内を通り、通常の状態において撓んだ状態で配設されていると好ましい。
上記構成によれば、ハーネスが接続部材内を通って配設されていることで、椅子の外部へのハーネスの張り出しを抑制することができ、外部の物がハーネスに引っ掛かることを抑制して、ハーネスを保護することができる。
さらに、ハーネスが撓んだ状態で配設されていることで、背もたれをリクライニングさせる等によって、ハーネスに引張力が加わったときに伸長することができることで、ハーネスに加わる荷重を逃がすことができる。
【００１７】
また、前記振動装置は、前記背もたれの下部に設けられていると好ましい。
背もたれの下部は、着座者の姿勢によって離れることの少ない着座者の腰部に対向するため、上記構成によれば、振動装置が背もたれの下部に設けられていることで、着座者に安定して刺激を伝播させることが可能となり覚醒効果を向上させることができる。
【００１８】
また、前記背もたれは、前記金属部を有する背もたれ本体と、該背もたれ本体に取り付けられるカバーとを備え、前記振動装置は、前記カバーで覆われていると好ましい。
上記構成によれば、振動装置がカバーで覆われていることで、振動発生の際に生じる音の遮断効果が高まり、着座者以外の周囲の人に振動装置の作動が認知されることを抑制できる。
【００１９】
また、前記背もたれ本体又は前記カバーにおける前記振動装置の周囲には、空間を物理的に遮る遮蔽板が設けられていると好ましい。
上記構成によれば、振動装置の周囲に遮蔽版が設けられていることにより、振動装置から生じる音の遮音効果を一層高めることができる。
【００２０】
また、前記背もたれ本体又は前記カバーは、周辺よりも突出する複数の突出部を備え、前記振動装置は、前記複数の突出部を避けた位置に設けられていると好ましい。
複数の突出部を備えることで背もたれの剛性を高めることができ、振動装置が突出部を避けた位置に設けられていることで、背もたれの厚み増加を抑制することができる。
【００２１】
また、前記背もたれ本体は、バックフレームと、該バックフレームの表面側に設けられるパッド部と、該パッド部を表面側から覆う表皮と、を備え、前記振動装置を覆う前記カバーは、前記表皮の端末を挟みこむように前記バックフレームに取り付けられ、前記振動装置に接触していると好ましい。
上記構成によれば、振動装置が振動すると、振動装置に接触するカバー、カバーに接触する表皮、表皮に触れる着座者へと振動が伝搬することとなる。このため、着座者の覚醒効果を高めることができる。
【００２２】
また、前記背もたれ本体は、前記金属部の他に前記背もたれ本体の全体に亘って形成された樹脂部を備え、前記振動装置は、前記金属部及び前記樹脂部に接触していると好ましい。
上記構成によれば、振動装置が金属部の他に背もたれ本体全体に亘って形成された樹脂部に接続されていることで、背もたれ本体全体、ひいては背もたれ全体を振動させることができるため、覚醒効果を高めることができる。
【００２３】
また、前記制御装置及び前記振動装置に電力を供給するバッテリを備え、前記制御装置及び前記バッテリは、前記振動装置の上方に設けられていると好ましい。
上記構成によれば、振動装置の上方の空間を制御装置及びバッテリを取り付けるスペースとして有効活用することが可能となる。
【００２４】
前記制御装置及び前記振動装置に電力を供給するバッテリを備え、
前記制御装置及び前記バッテリは、前記振動装置の左右に振り分けられて設けられていると好ましい。
上記構成によれば、振動装置の左右の空間を制御装置及びバッテリを取り付けるスペースとして有効活用することが可能となる。
さらに、制御装置及びバッテリを振動装置の上方に配設する場合と比較して、背もたれの重心を下方にすることができるため、椅子の安定感を高めることが可能となる。
【００２５】
また、前記振動装置、前記制御装置及び前記バッテリの少なくともいずれか一つは、前記背もたれの背面の凹部に配置されていると好ましい。
上記構成によれば、振動装置、制御装置及びバッテリを取り付けることによる背もたれの厚み増加を抑制することができる。
【００２６】
また、前記振動装置、前記制御装置及び前記バッテリは、保持部材に取り付けられてユニット化されていると好ましい。
上記構成によれば、振動装置、制御装置及びバッテリが保持部材によりユニット化されていることにより、振動装置、制御装置及びバッテリの背もたれへの取り付けが容易になるとともに、配線をコンパクトにすることが可能となる。
【発明の効果】
【００２７】
本発明によれば、振動装置から生じる振動刺激を効果的に伝搬させることができ、覚醒効果を高めることができる。
また、本発明によれば、振動刺激を背もたれに効果的に広く拡散することができ、覚醒効果を高めることができる。
また、本発明によれば、取付工数のかかる別部材を用いずに、振動刺激を拡散することができる。
また、本発明によれば、振動装置を金属フレームによって保護することができる。
また、本発明によれば、背もたれの上下に広い範囲で振動を伝搬させることができるため、着座者の覚醒効果を向上させることができる。
また、本発明によれば、外部の物がハーネスに引っ掛かることを抑制して、ハーネスを保護することができ、ハーネスに加わる荷重を逃がすことができる。
さらに、本発明によれば、着座者に安定して刺激を伝播させることが可能となり覚醒効果を向上させることができる。
また、本発明によれば、着座者以外の周辺の人に振動装置の作動が認知されることを抑制できる。
さらに、本発明によれば、振動装置から生じる音の遮音効果を一層高めることができる。
また、本発明によれば、背もたれの剛性を高めることができ、背もたれの厚み増加を抑制することができる。
さらに、本発明によれば、背もたれ本体全体、ひいては背もたれ全体を振動させることができるため、覚醒効果を高めることができる。
また、本発明によれば、振動装置の上方の空間を制御装置及びバッテリを取り付けるスペースとして有効活用することが可能となる。
また、本発明によれば、振動装置の左右の空間を制御装置及びバッテリを取り付けるスペースとして有効活用することが可能となる。
さらに、本発明によれば、制御装置及びバッテリを振動装置の上方に配設する場合と比較して、背もたれの重心を下方にすることができるため、椅子の安定感を高めることが可能となる。
また、本発明によれば、振動装置、制御装置及びバッテリを取り付けることによる背もたれの厚み増加を抑制することができる。
さらに、本発明によれば、振動装置、制御装置及びバッテリの背もたれへの取り付けが容易になるとともに、配線をコンパクトにすることが可能となる。
【図面の簡単な説明】
【００２８】
【図１】本発明の実施形態に係る脚付き椅子の外観図である。
【図２】脚付き椅子に取り付けられる制御装置、バッテリ及び保持カバー等の分解斜視図である。
【図３】制御装置及びバッテリを保持した状態の保持カバーを示す斜視図である。
【図４】背もたれ本体に対する振動装置の配置を示す図であり、脚付き椅子の側面図である。
【図５】振動装置が取り付けられた背もたれ本体の背面を示す図である。
【図６】振動装置、制御装置及びバッテリが取り付けられた背もたれ本体の背面を示す図である。
【図７】制御装置及びバッテリが他の配置で取り付けられた背もたれ本体の背面を示す図である。
【図８】他の例に係るリブを有するバックフレームの背面を示す図である。
【図９】バックパンにおける振動装置の配置を示す、図１のIX-IX断面図である。
【図１０】バックパンに制御装置及びバッテリを保持する保持カバーを取り付ける構成例を示す平面図である。
【発明を実施するための形態】
【００２９】
本発明は、椅子に関するものであり、特に、振動装置を有する覚醒機器（居眠り防止機器）を備える椅子に関するものである。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
以下、本発明の一実施形態に係る脚付き椅子Ｓ、並びに脚付き椅子Ｓに設けられたＥＣＵ７、バッテリ８及び振動装置３５について、図面を参照しながら説明する。
なお、以下において、前後方向は、椅子の前後方向を示すものとし、左右方向は椅子の左右方向を示すものとして椅子の幅方向ともいう。
【００３０】
まず、図１〜図４を主に参照して、脚付き椅子Ｓの主な構成について説明する。ここで、図１は、本発明の実施形態に係る脚付き椅子Ｓの外観図、図２は、脚付き椅子Ｓに取り付けられる制御装置Ｕ１、バッテリ８及び保持カバー７１等の分解斜視図、図３は、制御装置Ｕ１及びバッテリ８を保持した状態の保持カバー７１を示す斜視図、図４は、背凭れ本体３０に対する振動装置３５の配置を示す図であり、脚付き椅子Ｓの側面図である。
脚付き椅子Ｓは、主に、脚部材Ｆ３と、脚部材Ｆ３に取り付けられて着座者の臀部を支持するクッションパンＦ２１と、クッションパンＦ２１に連結された背もたれ部であるバックパンＦ２２と、覚醒機器Ｕとから構成されている。
【００３１】
脚部材Ｆ３は、４本に分岐する足部Ｆ３１と、足部Ｆ３１に連続的に形成された支柱筒Ｆ３０とから構成されて、主に樹脂材料から形成されている。
また、足部Ｆ３１は、本実施形態においては４本に分岐する構成となっているが、３本以上に分岐する構成であってもよい。
【００３２】
支柱筒Ｆ３０は、足部Ｆ３１の中央に固定されて上方に延在している。支柱筒Ｆ３０の中に、後述する支柱Ｆ２１ａが通されて固定される。
【００３３】
クッションパンＦ２１は、本発明に係る座部に相当するものである。クッションパンＦ２１は、図４に示すように、表皮付きパッド部Ｆ２１ｅと、表皮付きパッド部Ｆ２１ｅの裏面に取り付けられる座部カバー３６と、から構成される。クッションパンＦ２１の裏面における椅子の幅方向の両外側の部位に、留め具に相当するタッピングネジＮ１（図２参照）によって、保持カバー７１が取り付けられている。
【００３４】
表皮付きパッド部Ｆ２１ｅは、ウレタン等のクッション材から成る図示せぬパッド部と、パッド部を覆う図示せぬ表皮とから構成されており、表皮とパッド部の間に後述する呼吸センサ９が配設されている。
【００３５】
座部カバー３６は、樹脂材料から成り、制御装置Ｕ１及びバッテリ８を保持して表皮付きパッド部Ｆ２１ｅの裏面に取り付けられた保持カバー７１を含め、表皮付きパッド部Ｆ２１ｅの裏面全体を覆っている。
【００３６】
バックパンＦ２２は、クッションパンＦ２１の後部と接続部材３４によって連結されており、クッションパンＦ２１から略鉛直上方に延在して形成されている。
ここで接続部材３４は、中空部分３４ｂを有する樹脂部３４ａと、中空部分３４ｂを通る金属製の２本の連結パイプＦ２２ｃと、から構成されている（図５参照）。
バックパンＦ２２は、図４に示すように、着座者側に設けられた背凭れ本体３０と、背凭れ本体３０の裏面全体を覆う背凭れカバー３２と、から構成されている。
背凭れ本体３０は、基材と成る樹脂製のバックフレーム３０ａと、バックフレーム３０ａの椅子の前後方向前側に設けられたクッション材から成るパッド部３０ｂと、パッド部３０ｂを覆う表皮３０ｄとから構成されている（図９参照）。
背凭れ本体３０の中央には、図１に示すように振動装置３５が取り付けられており、背凭れカバー３２に覆われている。
【００３７】
振動装置３５は、詳細については後述するが、覚醒機器Ｕを構成部品であり、ＥＣＵ７の制御信号に応じて着座者に振動刺激を付加するものである。
振動装置３５は、図４に示すように、背凭れ本体３０の裏面の上端部と下端部とを結んだ平面Ａ−Ａよりも前側に少なくとも一部配設されている。換言すると、振動装置３５は、振動装置３５の少なくとも一部が背凭れ本体３０の裏面に埋め込めまれるように、背凭れ本体３０に取り付けられている。
このように振動装置３５が背凭れ本体３０に取り付けられていることで、振動の発生源である振動装置３５が着座者に接触する背凭れ本体３０の表面側の近くに配設されることになるため、着座者に振動刺激を効果的に伝搬することができる。
【００３８】
また、背凭れカバー３２によって振動装置３５が覆われていることで、振動装置３５の保全性を高めることができ、美観を良好にすることができ、さらに、周囲に振動音が漏れることを抑制することができる。
【００３９】
＜覚醒機器について＞
次いで、覚醒機器Ｕについて説明する。
本実施形態に係る覚醒機器Ｕは、ＥＣＵ７、バッテリ８、呼吸センサ９及び振動装置３５から主に構成されている。
【００４０】
振動装置３５は、公知のアンバランスマスモータから成る所謂「振動モータ」を備える装置である。
【００４１】
ＥＣＵ７は、電気制御を総合的に実行する中枢機能であり、本例においては、呼吸の間隔を示すデジタル信号に変換された電位差信号を基に、振動装置３５を駆動制御する機能を有する。
本実施形態に係るＥＣＵ７は、演算制御用のＣＰＵ、ＲＯＭ、ＲＡＭ等を備えて構成された、ハード的には汎用のＥＣＵである。
ＥＣＵ７に設けられた図示せぬコネクタの接続口に、図１示す呼吸センサ９に接続されたハーネス１１、振動装置３５に接続された図４に示すハーネス３３、及びバッテリ８に接続された図示せぬケーブルが接続されている。
【００４２】
特に、ハーネス３３は、接続部材３４の中空部分３４ｂを通り、振動装置３５と保持カバー７１内のＥＣＵ７とを撓んだ状態で接続している。
ハーネス３３は、接続部材３４の中空部分３４ｂを通って配設されていることで、接続部材３４の内壁に抑えられて、脚付き椅子Ｓの外方への張り出しが抑制されている。
さらに、撓んだ状態で、振動装置３５とＥＣＵ７とを接続していることで、バックパンＦ２２がリクライニングすることによってハーネス３３に引張力が加わったとしても、撓み量の分だけ引張力が生じるのを回避することができる。このため、ハーネス３３が断線することを防止することができる。
【００４３】
なお、呼吸センサ９からハーネス１１を介してＥＣＵ７に入力される信号は、信号処理回路によってデジタル信号に変換された電位差信号であり、ハーネス３３を介して出力されるものは、振動装置３５を駆動するための電力である。
ＲＡＭは、演算制御中の信号及び入出力される信号を含むパラメータを一時記憶するもので、デジタル信号に変換された電位差信号その他の信号を格納する格納部として機能する。
【００４４】
ＲＯＭは、ＣＰＵが実行するプログラム及び所定値のパラメータを記憶するものであり、例えば、所定の基準値を設定する基準値設定部や、基準値に基づき覚醒状態を判定する判定部、振動装置３５を駆動する駆動部等がプログラムとして記録されている。
この駆動部は、ＣＰＵの指示に応じて電力を供給することにより振動装置３５を駆動する機能を有する。
このＣＰＵの指示信号は、呼吸センサ９からの信号を演算することにより形成される。
つまり、呼吸センサ９から送信される信号により、着座者の覚醒状態を判断し、覚醒状態ではないと判断した場合に、振動装置３５を駆動するための信号がＣＰＵから発信されるよう構成されている。なお、当該構成は公知の構成が使用されていればよく、呼吸センサ９の代わりに心拍センサを用いるようにしてもよい。
【００４５】
覚醒機器Ｕを構成するＥＣＵ７は、図３に示すように、保持カバー７１によってクッションパンＦ２１の下面側に取り付けられており、振動装置３５は、図１に示すように、バックパンＦ２２の裏面、つまり、着座者側の逆側の面の中央部付近に取り付けられている。
【００４６】
バッテリ８は、ＥＣＵ７及び振動装置３５に電力を供給する機能を有し、本実施形態においては板状に形成されている。バッテリ８は、後述する制御装置Ｕ１の下方に重ねて取り付けられている。バッテリ８は、図示せぬ充電コードが接続されることによって家庭用電源から充電されるものである。そして、バッテリ８は、スマートフォン等の充電用に使用されるバッテリを転用することが可能である。
なお、バッテリ８は、給電式のものに限定されず、着脱式のものであってもよい。
【００４７】
＜ＥＣＵ及びバッテリの取り付けについて＞
次いで、図２及び図３を特に参照して、ＥＣＵ７及びバッテリ８の取り付けについて説明する。
本実施形態においては、ＥＣＵ７は、ベース部材７２及びカバー部材７３によって覆われて支持され、さらにバッテリ８とともに、保持カバー７１によって保持されてクッションパンＦ２１に取り付けられる。なお、ＥＣＵ７とベース部材７２とカバー部材７３とを組み合わせたユニットを制御装置Ｕ１ともいう。
【００４８】
保持カバー７１は、本発明に係る保持部材に相当するものであり、図４に示すように、上方が開放されており鉛直断面が略コ字形状である収容凹溝７１ａと、その上部の両端から外側上方へとフランジ状に延出するパン取付部７１ｂとを備え、樹脂材料で形成されている。
パン取付部７１ｂには、タッピングネジＮ１が通されるパン取付孔７１ｃが形成されている。
【００４９】
ベース部材７２及びカバー部材７３は、鉛直断面が略コ字形状の枠体である。
詳細には、ベース部材７２は、略コ字形状の断面を有して、幅方向長さよりも長く前後方向に延在している。
一方、カバー部材７３は、略コ字形状の断面を有して、前後方向長さよりも長く幅方向に延在している。
これらは、上下に重ね合わせられることで、内部にＥＣＵ７の格納空間を形成する。
そして、ベース部材７２とカバー部材７３とは、ＥＣＵ７を格納した状態で固定ネジＮ２によって締結され、バッテリ８の上に積層されて、収容凹溝７１ａ内に保持される。
【００５０】
制御装置Ｕ１は、バッテリ８とともに保持カバー７１の溝内部に格納されている。この状態で、保持カバー７１は、パン取付部７１ｂ（本例では２個存在する）に形成されたパン取付孔７１ｃ（本例では４個存在する）からタッピングネジＮ１により、クッションパンＦ２１に留め付けられる。
【００５１】
次いで、図５〜図８を主に参照して、振動装置３５、制御装置Ｕ１及びバッテリ８のバックパンＦ２２への取り付け位置について説明する。
ここで、図５は、振動装置３５が取り付けられた背凭れ本体３０の背面を示す図、図６は、振動装置３５、制御装置Ｕ１及びバッテリ８が取り付けられた背凭れ本体３０の背面を示す図、図７は、制御装置Ｕ１及びバッテリ８が他の配置で取り付けられた背凭れ本体３０の背面を示す図、図８は、他の例に係るリブ３０ｋ，３０ｍを有するバックフレーム３００の背面を示す図である。
【００５２】
振動装置３５は、図５に示すように、バックフレーム３０ａの下部に取り付けられた金属製の取付部材３７上に、長尺方向が上下方向となる向きで取り付けられている。振動装置３５は、取付部材３７が背凭れ本体３０を構成するバックフレーム３０ａに取り付けられることによって、背凭れ本体３０に取り付けられることとなる。
【００５３】
特に、振動装置３５は、金属製の取付部材３７に取り付けられていることで、振動装置３５から生じた振動が取付部材３７を介して着座者に伝搬することで、減衰を抑制して効果的に伝搬することができる。
また、着座者とバックパンＦ２２との接触範囲は上下方向に広いため、振動装置３５が、その長尺方向が上下方向となる向きで取り付けられていることで、着座者との接触範囲に広く振動を伝搬させることが可能となる。
【００５４】
さらに、バックパンＦ２２の下部は着座者の腰部に対向することが多く、着座者の腰部は姿勢によって離れることが少ない。このため、振動装置３５がバックパンＦ２２の下部に設けられていることで、着座者に安定して刺激を伝播させることが可能となり覚醒効果を向上させることができる。
【００５５】
取付部材３７は、一体的に形成された上端部３７ａ、中部３７ｇ及び下端部３７ｂから構成されており、バックフレーム３０ａに形成された凹部３１ａ内に配設されている。
【００５６】
上端部３７ａ及び下端部３７ｂは、水平断面がΩ状に形成された板状の部位であり、椅子の上下において対称に形成されている。
詳細には、上端部３７ａ及び下端部３７ｂは、水平断面コの字断面の中央部分３７ｃ，３７ｅと、中央部分３７ｃ，３７ｅのそれぞれ端部から、椅子の幅方向外側に延在する両端部分３７ｄ，３７ｆとから構成されている。
取付部材３７は、この両端部分３７ｄ，３７ｆでタッピングネジ３８によってバックフレーム３０ａの裏面に固定されている。
【００５７】
中部３７ｇは、振動装置３５が取り付けられる部位であり、上端部３７ａにおける中央部分３７ｃの上端、下端部３７ｂにおける中央部分３７ｅの下端に連続して形成されて、バックフレーム３０ａに沿って上下に延在する鉛直断面コの字形状の部材である。
中部３７ｇは、上端部３７ａ及び下端部３７ｂの中央部分３７ｃ，３７ｅの椅子の幅方向両端側それぞれから間隔を空けて形成され、中央部分３７ｃ，３７ｅよりも椅子の幅方向に短く形成されている。
【００５８】
このように形成された、上端部３７ａ及び下端部３７ｂの中央部分３７ｃ，３７ｅの椅子の幅方向両端のそれぞれと中央部分３７ｅとの間に２本の連結パイプＦ２２ｃのそれぞれが配設されて、取付部材３７に溶接されている。
つまり、中部３７ｇに取り付けられた振動装置３５は、２本の連結パイプＦ２２ｃに椅子の幅方向両側を保護されることとなる。なお、この連結パイプＦ２２ｃは、本発明に係る線状の金属フレームに相当する。
【００５９】
また、バックフレーム３０ａの裏面には、格子状に形成されたリブ３０ｊが中央の凹部３１ａ以外の部分において、椅子の前後方向後ろ側に突出して形成されている。
このようにリブ３０ｊが形成されていることで、完全に空間を有しないように形成されたものよりも軽量化することが可能となる。
また、振動装置３５及び背凭れ本体３０を配設するために形成された凹部３１ａによる剛性の低下を、リブ３０ｊによって抑制することができる。
さらに、振動装置３５から生じる振動を、格子状に全体的に形成されたリブ３０ｊによって、バックフレーム３０ａ全体に伝搬させることが可能となる。
【００６０】
さらには、背凭れカバー３２をバックフレーム３０ａに取り付けた状態において、リブ３０ｊと背凭れカバー３２との間で複数の閉空間が形成されることにより、振動装置３５によって生じる振動による音波の伝搬を遮断することが可能となる。
このため、脚付き椅子Ｓの周囲の人に、振動装置３５が作動していることを音によって気づかれることを抑制することができる。
【００６１】
また、上記においては、制御装置Ｕ１及びバッテリ８を、クッションパンＦ２１の裏面に取り付けるものとして説明したが、本発明はこのような構成に限定されず、例えば、図６に示すように、バックフレーム３０ａの裏面に取り付ける、つまり、バックパンＦ２２に取り付けるようにしてもよい。
特に、バックフレーム３０ａにおける制御装置Ｕ１及びバッテリ８を、取付部材３７の上方に取り付けるものとし、取付部位に凹部３１ｂ，３１ｃを形成するとよい。なお、凹部３１ｂ，３１ｃの底面は、制御装置Ｕ１及びバッテリ８の当接面よりも大きく形成されている。
このようにすることで、下部に取り付けられた取付部材３７の上方のスペースを、制御装置Ｕ１及びバッテリ８の取付スペースとして有効に活用することができる。
【００６２】
また、制御装置Ｕ１及びバッテリ８を取り付けるスペースがあるならば、図７示すように、取付部材３７を椅子の幅方向において挟むように、制御装置Ｕ１及びバッテリ８が配設されていると好ましい。
【００６３】
このような構成によれば、バックパンＦ２２の重心を、制御装置Ｕ１及びバッテリ８が取り付けられる下側することができるため、脚付き椅子Ｓの重量バランスを高くすることができ、脚付き椅子Ｓを倒れづらくすることができる。
【００６４】
また、上記実施形態においては、格子状のリブ３０ｊを備えるものとして説明したが、本発明は、このような構成に限定されない。
例えば図８に示すように、バックフレーム３００に、振動装置３５が取り付けられた取付部材３７の近傍から放射状に伸びるリブ３０ｋが形成されていてもよい。さらに、バックフレーム３００に、リブ３０ｋに交差する方向に延びてリブ３０ｋを連結する円弧状のリブ３０ｍが形成されているとより好ましい。
上記構成によれば、振動装置３５から生じた振動を放射状に延びるリブ３０ｋによって、バックフレーム３００全体に振動を伝搬することができ、リブ３０ｍによって、リブ３０ｋが連結されていることで、振動を偏りなくバックフレーム３００全体に伝搬することができる。
【００６５】
また、上記実施形態においては、振動装置３５が金属部に相当する取付部材３７上に取り付けられているものとして説明したが、振動装置３５に接触する部材は、取付部材３７だけでなく、バックフレーム３０ａに直接接触するようにしてもよい。
例えば、取付部材３７の一部に貫通孔を形成して、その貫通孔にバックフレーム３０ａの一部を挿通させて振動装置３５に触れさせることができる。
このようにすることで、振動装置３５が金属部である取付部材３７に触れることで振動刺激を高めつつ、バックフレーム３０ａに触れることで、バックフレーム３０ａへの全体に亘る振動の伝播の効率を高めることができる。
【００６６】
（変形例）
次いで、変形例に係る構成について、図９及び図１０を参照して説明する。ここで、図９は、バックパンＦ２２における振動装置３５の配置を示す、図１のIX-IX断面図、図１０は、バックパンＦ２２に振動装置３５、制御装置Ｕ１及びバッテリ８を保持する保持カバー７４を取り付ける構成例を示す平面図である。
【００６７】
バックフレーム３０ａに背凭れカバー３２を取り付ける場合には、図９に示すように、パッド部３０ｂの周縁部、及び表皮３０ｄの端末３０ｅをバックフレーム３０ａとの間で挟みこむように背凭れカバー３２を取り付け、振動装置３５に背凭れカバー３２を接触させると好ましい。
このような構成によれば、振動装置３５から生じた振動の伝播ルートとして、図９において矢印で示すように、取付部材３７、バックフレーム３０ａ、パッド部３０ｂ及び表皮３０ｄを介して伝わるルートＲ１と、背凭れカバー３２、表皮３０ｄ及びパッド部３０ｂを介して伝わるルートＲ２とを形成することができる。このようにすることで、より振動の伝播効率を高めることができる。
【００６８】
また、制御装置Ｕ１及びバッテリ８についてのバックパンＦ２２へ取り付けは、図６及び図７に示したような個別に取り付けられるものに限定されない。
例えば、図４に示したクッションパンＦ２１に保持カバー７１によって制御装置Ｕ１とバッテリ８をユニット化して取り付ける構成と同様に、図１０に示すように、振動装置３５を追加的に保持する保持カバー７４を用いて取り付けるようにしてもよい。
つまり、バックパンＦ２２の前後方向の厚みが問題とならなければ、振動装置３５、制御装置Ｕ１及びバッテリ８を前後にまとめて配設するようにしてもよい。
このようにすれば、振動装置３５と制御装置Ｕ１とバッテリ８との配線を短くすることができ、バックパンＦ２２への取り付けが容易となる。
【符号の説明】
【００６９】
Ｆ２１  クッションパン（座部）
Ｆ２１ａ  支柱
Ｆ２１ｅ  表皮付きパッド部
Ｆ２２  バックパン（背もたれ）
Ｆ２２ｃ  連結パイプ（線状の金属フレーム）
Ｆ３  脚部材
Ｆ３０  支柱筒
Ｆ３１  足部
Ｎ１  タッピングネジ（留め具）
Ｎ２  固定ネジ
Ｒ１，Ｒ２  ルート
Ｓ  脚付き椅子
Ｕ  覚醒機器
Ｕ１  制御装置
１１  ハーネス
３０  背もたれ本体
３０ａ，３００  バックフレーム
３０ｂ  パッド部
３０ｃ  樹脂部
３０ｄ  表皮
３０ｅ  端末
３０ｊ，３０ｋ，３０ｍ  リブ（振動拡散部、遮蔽板、突出部）
３１ａ，３１ｂ，３１ｃ，３１ｄ，３１ｅ  凹部
３２  背もたれカバー
３３  ハーネス
３４  接続部材
３４ａ  樹脂部
３４ｂ  中空部
３５  振動装置
３６  座部カバー
３７  取付部材（金属部）
３７ａ  上端部
３７ｂ  下端部
３７ｃ  中央部分
３７ｄ  両端部分
３７ｅ  中央部分
３７ｆ  両端部分
３７ｇ  中部
３８  タッピングネジ
７  ＥＣＵ
７１，７４  保持カバー（保持部材）
７１ａ  収容凹溝
７１ｂ  パン取付部
７１ｃ  パン取付孔
７２  ベース部材
７３  カバー部材
８  バッテリ
９  呼吸センサ
【図１】
2020000878.tif 000003
【図２】
2020000878.tif 000004
【図３】
2020000878.tif 000005
【図４】
2020000878.tif 000006
【図５】
2020000878.tif 000007
【図６】
2020000878.tif 000008
【図７】
2020000878.tif 000009
【図８】
2020000878.tif 000010
【図９】
2020000878.tif 000011
【図１０】
2020000878.tif 000012